(57)【要約】【課題】  指針の支点が文字盤等の表示部材の外周に位置する車両用計器であって、発光指針の組み付け作業を容易に行うことができる構造の車両用計器を提供する。【解決手段】  入射された光により発光する発光部１１と、一端１２ａが内機１３の回転軸１３ａに固定され、他端１２ｂが文字盤１の外周に位置し、他端１２ｂに発光部１１が固定される指針軸１２とを有し、発光部１１と指針軸１２とにより、断面形状が略コ字形状となっている指針２において、指針軸１２の形状を、指針軸１２、文字盤１および液晶ディスプレイ４を組み付けた状態において、他端１２ｂの位置が、文字盤１に対して垂直な方向で、文字盤１よりも前面側となる形状とする。これにより、車両用計器の製造時において、指針軸１２、文字盤１および液晶ディスプレイ４を組み付けた後、文字盤１の前面側から、発光部１１を指針軸１２に、容易に組み付けることができる。【選択図】        図２
2006258470.tif 000002
【特許請求の範囲】
【請求項１】
第1の表示部（１ａ）が形成された第１の表示部材（１）と、前記第1の表示部（１ａ）を指し示す発光指針（２）と、前記発光指針（２）を回動させる内機（１３）とを備え、
前記発光指針（２）は、前記内機（１３）の回転軸（１３ａ）に固定され、先端部（１２ｂ）が前記第１の表示部材（１）の外周に位置する形状の指針軸（１２）と、前記先端部（１２ｂ）に固定され、入射された光により発光する発光部（１１）とを有し、前記指針軸（１２）と前記発光部（１１）とにより、断面形状が略コ字形状となっており、
前記第１の表示部材（１）は、前記発光部（１１）の裏側（１１ｄ）と前記指針軸（１２）の表側（１２ｃ）との間に、前記指針軸（１２）の回転平面と略平行に配置されている車両用計器において、
前記指針軸（１２）は、前記先端部（１２ｂ）の位置が、前記第１の表示部材（１）に対して垂直な方向で、前記第１の表示部材（１）と同じ位置、もしくは、前記第１の表示部材（１）よりも前面側の位置となる形状であることを特徴とする車両用計器。
【請求項２】
前記第１の表示部材（１）の中央に、第２の表示部（４ａ、４ｂ）を有する第２の表示部材（４）が配置されていることを特徴とする請求項１に記載の車両用計器。
【請求項３】
前記第１の表示部材（１）の外周に、前記指針軸（１２）の前記先端部（１２ｂ）を覆い隠すように配置され、第３の表示部（３ａ）を有する第３の表示部材（３）と、
前記第３の表示部材（３）に光を照射する光源（２４）とを有することを特徴とする請求項１または２に記載の車両用計器。
【請求項４】
前記光源（２４）からの光が、前記発光指針（２）の前記発光部（１１）に照射されるようになっていることを特徴とする請求項３に記載の車両用計器。
【請求項５】
前記光源（２４）は前記第３の表示部材（３）の裏面側に配置されており、
前記第３の表示部材（３）の裏面側に、前記光源（２４）からの光の一部を、前記発光部（１１）の端部（１１ｂ）に向けて反射させる反射部（２３ｂ）が配置されていることを特徴とする請求項４に記載の車両用計器。
【発明の詳細な説明】
【技術分野】
【０００１】
本発明は、車両用計器に関するものである。
【背景技術】
【０００２】
従来、指針の支点が文字盤の外周に位置する車両用計器がある。このような車両用計器の一例を図６、７に示す。なお、図６は車両用計器の正面図であり、図７は図６中のＣ−Ｃ線断面図である。
【０００３】
図６、７に示すように、この車両用計器は、主に、文字盤１と、発光指針２と、発光指針２を回動させる内機３１と、指針用光源３２と、リング状の縁部３とを備えている。
【０００４】
この車両用計器の発光指針２は、内機３１の回転軸３１ａに固定され、先端部３３ａが文字盤１の外周に位置する指針軸３３と、Ｌ字形であって、Ｌ字の短辺部３４ａが指針軸３３の先端部３３ａに固定され、指針用光源３２からの光により発光する発光部３４とを有し、指針軸３３と発光部３４とで略コ字形の断面形状となっている。
【０００５】
また、この車両用計器の文字盤１は、発光部３４の裏側と指針軸３３の表側との間に、指針軸３３の回転平面Ｘと略平行に配置されている（例えば、特許文献１参照）。
【特許文献１】実開昭６０−１１８９１６号公報
【発明の開示】
【発明が解決しようとする課題】
【０００６】
上記した車両用計器の製造では、通常、奥側から手前側に位置する部品の順に組み付けが行われるため、指針軸３３、文字盤１、発光部３４の順に、組み付け作業が行われる。
【０００７】
しかし、上記した車両用計器では、図７に示すように、指針軸３３と発光部３４の固定部分３３ａ、３４ａが、文字盤１よりも裏側（図中右側）に位置するため、文字盤１の外周に何らかの構造物が存在する場合、その構造物が組み付けの障害となる。また、文字盤１の前面側（視認者から視認される側）から発光部３４を指針軸３３に組み付ける場合、指針軸３３の先端部３３ａが文字盤１の裏側に位置するため、その先端部３３ａを視認しづらい。
【０００８】
このため、発光指針２の組み付け作業において、発光部３４の指針軸３３への組み付けがしづらいという問題が生じる。
【０００９】
本発明は、上記点に鑑み、指針の支点が文字盤等の表示部材の外周に位置する車両用計器であって、発光指針の組み付け作業を容易に行うことができる構造の車両用計器を提供することを目的とする。
【課題を解決するための手段】
【００１０】
上記目的を達成するため、請求項１に記載の発明では、指針軸（１２）が、先端部（１２ｂ）の位置が、第１の表示部材（１）に対して垂直な方向で、第１の表示部材（１）と同じ位置、もしくは、第１の表示部材（１）よりも前面側の位置となる形状であることを特徴としている。
【００１１】
このように、指針軸の形状を、発光部と固定される固定部が第１の表示部材と同じ位置、もしくは、第１の表示部材よりも前面に位置する形状としているので、車両用計器の製造時において、指針軸、第１の表示部材を組み付けた後、第１の表示部材の前面側から、発光部を指針軸に、容易に組み付けることができる。
【００１２】
また、請求項２に記載の発明では、第１の表示部材（１）の中央に、第２の表示部（４ａ、４ｂ）を有する第２の表示部材（４）が配置されていることを特徴としている。
【００１３】
車両用計器の構成がこのような構成の場合に、発光指針の形状を請求項１に記載の発明の形状とすることが有効である。例えば、第１の表示部として、文字盤を用い、第２の表示部として、電子ディスプレイを用いることができる。
【００１４】
また、請求項３に示すように、例えば、第１の表示部材（１）の外周に、指針軸（１２）の先端部（１２ｂ）を覆い隠すように、第３の表示部（３ａ）を有する第３の表示部材（３）を配置し、第３の表示部材（３）に光を照射する光源（２４）を設けることができる。
【００１５】
さらに、請求項３に記載の発明に対して、請求項４に示すように、例えば、光源（２４）からの光が、発光指針（２）の発光部（１１）に照射される構成とすることもできる。
【００１６】
さらに、請求項４に記載の発明に対して、請求項５に示すように、例えば、光源（２４）を、第３の表示部材（３）の裏面側に配置し、第３の表示部材（３）の裏面側に、光源（２４）からの光の一部を、発光部（１１）の端部（１１ｂ）に向けて反射させる反射部（２３ｂ）が配置することができる。
【００１７】
なお、上記各手段の括弧内の符号は、後述する実施形態に記載の具体的手段との対応関係を示す一例である。
【発明を実施するための最良の形態】
【００１８】
（第１実施形態）
図１に、本発明の第１実施形態における車両用計器の正面図を示す。本実施形態では、本発明の車両用計器をタコメータに適用した場合を例として説明する。
【００１９】
本実施形態の車両用計器は、図１に示すように、第１の表示部材としての文字盤１と、発光指針としての指針２と、第３の表示部材としての外周リング部３と、第２の表示部材としての液晶ディスプレイ４とを備えている。
【００２０】
文字盤１には、第１の表示部として回転数を表す「１」、「２」等の文字１ａが設けられている。文字盤１は、略円盤形状であり、例えば、透明なアクリル樹脂等からなるシートに対して、文字１ａのみが透光性を有し、文字１ａを除く部分が不透光性となるように、印刷等を施すことにより形成される。
【００２１】
外周リング部３は、文字盤１が外周にリング状に配置されており、第３の表示部としての目盛３ａが形成されている。外周リング部３は、文字盤１と同様に、例えば、透明なアクリル樹脂等からなるシートに対して、目盛３ａのみが透光性を有し、目盛３ａを除く部分が不透光性となるように、印刷等を施すことにより形成される。
【００２２】
指針２は、文字盤１の表面上を、文字１ａや目盛３ａを指し示すように、回動するようになっている。
【００２３】
液晶ディスプレイ４は、文字盤１の中央に配置されており、第２の表示部としてのシフトポジションの表示４ａと、このシフトポジションがＤレンジに表示の場合における現シフト位置の表示４ｂとを行うようになっている。この表示４ｂでは３速にシフトされていることがわかる。このように、液晶ディスプレイ４は、文字盤１と同じ、もしくは、異なる情報を表示するものであり、シフトポジションに関連する表示に限らず、車両の各種状態（車両外部の映像、警告、冷却水温度、外気温、回転数等）を表示する。なお、液晶ディスプレイ４は、略円盤形状である。
【００２４】
図２に、図１中のＡ−Ａ線断面図を示す。図２に示すように、この車両用計器では、指針２の支点が文字盤１の外周側に位置している。
【００２５】
具体的には、指針２は、発光部１１と、指針軸１２とを有している。発光部１１は、文字盤１の前面側（視認者に視認される側であり、図２中の上側である）に配置されており、一端１１ａが液晶ディスプレイ４側に位置し、他端１１ｂが外周リング部３側に位置し、液晶ディスプレイ４側から外周リング部３側に向けて、棒状（直線状）に伸びた形状となっている。  
【００２６】
また、発光部１１は、入射された光により発光するようになっており、透明なアクリル樹脂等の透光性材料で構成される。発光部１１は、文字盤１の外周側端部である他端１１ｂの端面から、後述する光源からの光が入射されるようになっている。
【００２７】
一方、指針軸１２は、主に、文字盤１の裏側に配置されており、一端１２ａが、文字盤１の裏面側に配置されている回動内機１３の回転軸１３ａに位置し、他端１２ｂが、文字盤１の外周であって、文字盤１よりも前面側に位置する略Ｌ字形状となっている。その一端１２ａは、回転軸１３ａに固定され、他端１２ｂは、発光部１１と固定されている。この他端１２ｂが本発明の先端部に相当する。なお、指針軸１２は、樹脂や金属等の不透光性材料で構成される。
【００２８】
このように、発光部１１の他端１１ｂと、指針軸１２の他端１２ｂとが固定されることにより、指針２は、図２に示すように、断面形状が略コ字形状となっている。
【００２９】
ここで、図３に、指針２の分解斜視図を示し、図４に図３中の破線で囲まれた領域のＢ矢視図を示す。発光部１１は、図３に示すように、発光部１１の側面１１ｃと裏面１１ｄとを覆う枠１４を介して、指針軸１２に固定される。
【００３０】
このとき、図３、４に示すように、枠１４の端部には、爪固定部１４ａが設けられており、これにより、発光部１１は、枠１４を介して、指針軸１２と爪引っ掛け固定される。なお、枠１４は、樹脂や金属等の不透光性材料で構成される。
【００３１】
図２に示すように、文字盤１は、文字盤１の面と、液晶ディスプレイ４の面とが一致するように、中央に凹部１ｂが設けられており、その凹部１ｂに液晶ディスプレイ４が配置されている。そして、文字盤１および液晶ディスプレイ４は、発光部１１の裏１１ｄと指針軸１２の表１２ｃとの間に位置している。なお、文字盤１および液晶ディスプレイ４は、指針軸１２の回転平面Ｘと略平行である。
【００３２】
これらの文字盤１、液晶ディスプレイ４、指針２の組み付けは、次の手順で行われる。（１）内機１３への指針軸１２の組み付け、（２）ケース１７への文字盤１および液晶ディスプレイ４の組み付け、（３）指針軸１２の他端１２ｂへの発光部１１の組み付けの順である。
【００３３】
また、文字盤１の裏面側には、液晶ディスプレイ４を制御するための第１の基板１５、第２の基板１６およびケース１７が配置されている。第２の基板１６には、内機１３と、文字盤用光源１８とが固定されている。文字盤用光源１８によって、文字盤１は裏面側から透過照明されるようになっている。なお、第１の基板１５と第２の基板１６とを１つの基板とすることもできる。
【００３４】
図２に示すように、外周リング部３は、発光部１１よりも視認者側（文字盤１の前面側）に位置している。この外周リング部３は、指針軸１２の他端１２ｂを覆っている。この外周リング部３によって、発光部１１と指針軸１２の固定部分、すなわち、指針２の支点が隠されている。
【００３５】
また、外周リング部３は、目盛３ａが形成されている目盛部２１と、図１では示されていないが、目盛部２１の外周に位置するカバー部２２とを有している。目盛部２１の面は文字盤１に対して斜めであり、カバー部２２の面は文字盤１と平行となっている。本実施  形態では、指針軸１２の他端１２ｂの図中真上に目盛部２１が位置している。
【００３６】
また、外周リング部３の裏側には、外周リング部３を透過照明するための外周リング部用光源２４が配置されている。外周リング部用光源２４は、第２の基板１６に固定されている。この外周リング部用光源２４が本発明の光源に相当する。
【００３７】
また、外周リング部３と外周リング部用光源２４との間には、外周リング部用光源２４の光を外周リング部３に導く導光用プリズム２５が配置されている。導光用プリズム２５は、文字盤１に光が漏れないように、ケース１７の一部によって遮蔽されている。
【００３８】
また、外周リング部３の裏面には、透明なアクリル樹脂等の透光性部材２３が配置されている。透光性部材２３のうち、目盛部２１の裏面側に位置する部分２３ａは、目盛部２１の裏面に沿って配置されており、カバー部２２の裏面側に位置する部分２３ｂは、導光用プリズム２５からの光を発光部１１の他端１１ｂの端面に向けて反射する形状となっている。なお、以下では、透光性部材２３のうち、カバー部２２の裏面側に位置する部分２３ｂを反射部２３ｂと呼ぶ。また、この部分２３ｂが本発明の反射部に相当する。
【００３９】
したがって、外周リング部用光源２４からの光は、図２中の矢印のように、導光用プリズム２５を通り、導光用プリズム２５から出射した光によって、外周リング部３の目盛部２１が裏面側から透過照明される。また、導光用プリズム２５から出射した光の一部は、反射部２３ｂで反射して、発光部１１の他端１１ｂの端面に入射する。これにより、発光部１１が発光する。
【００４０】
このように、本実施形態では、外周リング部用光源２４からの光の一部が、発光部１１に照射されるようになっており、すなわち、共通の光源からの光を、目盛部２１と発光部１１に照射するようになっている。これにより、目盛部用の光源と、発光部用の光源とを別々に設ける場合と比較して、光源の数を減少させることができる。
【００４１】
次に、本実施形態の主な特徴を説明する。
【００４２】
（１）指針式の車両用計器では、通常、指針の支点は、文字盤の中央に位置している。これに対して、本実施形態では、文字盤１の中央に液晶ディスプレイ４を配置するため、上記したように、指針２の支点１１ｂ、１２ｂを文字盤１の外周に配置している。
【００４３】
そして、指針２の支点が文字盤１の中央に存在せず、指針２の発光部１１の一端１１ａが、他の部材と接続されていない状態で、液晶ディスプレイ４の前面側に位置している。      
【００４４】
このため、本実施形態では、指針２（発光部１１）があたかも浮いているように、指針２を視認者に見せることができる。
【００４５】
また、本実施形態では、外周に位置する支点１１ｂ、１２ｂを外周リング部３で覆い隠しているので、視認者には、支点１１ｂ、１２ｂの存在がわからないようになっている。
【００４６】
（２）本実施形態では、指針軸１２の形状を、指針軸１２、文字盤１および液晶ディスプレイ４を組み付けた状態において、他端１２ｂの位置が、文字盤１に対して垂直な方向（図２中の上下方向）で、文字盤１よりも前面側となる形状としている。
【００４７】
これにより、車両用計器の製造時において、指針軸１２、文字盤１および液晶ディスプレイ４を組み付けた後、文字盤１の前面側から、発光部１１を指針軸１２に、容易に組み付けることができる。
【００４８】
（３）上記背景技術の欄で説明した従来の車両用計器は、図７に示すように、指針２の発光部３４がＬ字形であり、コーナ部３４ｂで光源３２からの光が反射する構造であった。このため、本実施形態のように、外周リング部３を裏面側から透過照明させ、かつ、共通の光源から、指針２と外周リング部３に光を照射する構成とした場合では、発光部３４の端面３４ｃから入射された光は、すべて、コーナ部３４ｂで反射し、外周リング部３に向けて、進まない。
【００４９】
したがって、図７に示す従来の車両用計器では、外周リング部３の裏側に指針２が位置する場合、コーナ部で光が遮られるため、外周リング部３に、指針２の影ができてしまう。すなわち、外周リング部３のうち、指針２が通った部分が暗くなってしまう。
【００５０】
これに対して、本実施形態では、外周リング部用光源２４から外周リング部３に照射される光の一部を、反射部２３ｂで反射させて、その光を発光部１１の他端１１ｂから導光させている。また、発光部１１を直線形状とすることで、発光部１１の構成を、影の原因となる反射面を有していない構成としている。
【００５１】
これにより、外周リング部３に対して、外周リング部用光源２４が光を照射する場合、その光が遮られることを抑制することができ、外周リング部３のうち、指針２が通った部分が暗くなるのを抑制することができる。
【００５２】
（他の実施形態）
（１）図５に本発明の他の実施形態における発光部１１と指針軸１２との固定部分の拡大図を示す。図５は、図４に対応している。
【００５３】
第１実施形態では、発光部１１と指針軸１２との固定手段として、枠１４を介しての爪引っ掛け固定手段を採用する場合を例として説明したが、他の固定手段を採用することができる。例えば、圧入、熱かしめ、接着等の固定手段を採用することができる。
【００５４】
また、枠１４を用いず、発光部１１に固定部を設け等により、発光部１１と指針軸１２とを直接、固定させることもできる。例えば、図５に示すように、発光部１１と指針軸１２とを熱かしめにより固定することもできる。
【００５５】
（２）第１実施形態では、指針軸１２の他端１２ｂの位置を文字盤１よりも前面側とする場合を例として説明したが、他端１２ｂの位置を、文字盤１に対して垂直な方向で、文字盤１と同じ位置とすることもできる。この場合においても、第１実施形態と同様の効果を奏する。
【００５６】
（３）第１実施形態では、外周リング部用光源２４を文字盤１よりも裏面側に配置する場合を例として説明したが、外周リング部用光源２４の配置場所を他の位置とすることもできる。
【００５７】
例えば、発光部１１の他端１１ｂの延長線上に外周リング部用光源２４を配置し、外周リング部用光源２４の光を、直接、発光部１１、外周リング部３に照射させることができる。また、外周リング部３よりも視認者側に外周リング部用光源２４を配置し、外周リング部３の視認者側から外周リング部３および発光部１１に光を照射させることもできる。
【００５８】
（４）第１実施形態では、外周リング部用光源２４からの光の一部を発光部１１に照射させる場合を例として説明したが、外周リング部用光源２４とは別に、発光部用の光源を用いることもできる。  
【００５９】
（５）第１実施形態では、枠１４や指針軸１２が不透光性材料で構成される場合を例として説明したが、これらを発光部１１と同様に透明性材料で構成することもできる。
【００６０】
（６）第１実施形態では、文字盤１、液晶ディスプレイ４の形状を円盤形状とする場合を例として説明したが、他の形状とすることもできる。また、外周リング部３についても、文字盤１の形状に応じて、他の形状とすることもできる。
【００６１】
（７）第１実施形態では、第２の表示部材として、液晶ディスプレイ４を用いる場合を例として説明したが、液晶ディスプレイ４に限らず、有機ＥＬディスプレイ等の他の電子ディスプレイを用いることもできる。
【００６２】
（８）第１、第２の表示部材として、文字盤１、液晶ディスプレイ４を用いる場合を例として説明したが、これに限らず、何らかの情報を表示する部材であれば、第１、第２の表示部材として他の表示部材を用いることもできる。なお、第１、第２の表示部材として、同じ表示部材や異なる表示部材を用いることができる。
【図面の簡単な説明】
【００６３】
【図１】本発明の第１実施形態における車両用計器の正面図である。
【図２】図１中のＡ−Ａ線断面図である。
【図３】図１、２中の指針２の分解斜視図
【図４】図３中の破線で囲まれた領域のＢ矢視図である。
【図５】本発明の他の実施形態における車両用計器の発光部１１と指針軸１２との固定部分の拡大図である。
【図６】従来における車両用計器の正面図である。
【図７】図６中のＣ−Ｃ線断面図である。
【符号の説明】
【００６４】
１…文字盤（第１の表示部材）、２…指針（発光指針）、
３…外周リング部（第３の表示部材）、４…液晶ディスプレイ（第２の表示部材）、
１１…発光部、１２…指針軸、１２ｂ…指針軸の他端（先端部）、１３…内機、
１４…枠、１５…第１の基板、１６…第２の基板、１７…ケース、
１８…文字盤用光源、２１…目盛部、２２…カバー部、
２３…透光性部材、２４…外周リング部用光源。
【図１】
2006258470.tif 000003
【図２】
2006258470.tif 000004
【図３】
2006258470.tif 000005
【図４】
2006258470.tif 000006
【図５】
2006258470.tif 000007
【図６】
2006258470.tif 000008
【図７】
2006258470.tif 000009